(57)【特許請求の範囲】
【請求項１】
横断面形状が略円形の周壁面と、周壁面の上端部から連続する天井面とを透光性プラスチック材料でドーム型に一体成形し、天井面に通気穴を形成した作物用キャップであって、
天井面の頂部近辺に通気穴を形成し、
周壁面と天井面が屈曲部を介して連続するように形成し、
屈曲部の屈曲変形により天井面全体が外側へ湾曲して膨出する凸形態と、内側へ湾曲して窪む凹形態の何れか一方の形態に択一的に保持され、
かつ凸形態の天井面の中央部を内側へ押し込むと天井面が凹形態となり、凹形態の天井面の中央部を外側へ押し込むと天井面が凸形態となるように構成したことを特徴とする作物用キャップ。
【発明の詳細な説明】
【技術分野】
【０００１】
本発明は野菜や果物の苗に被せて霜、強風、鳥などの害から苗を保護する作物用キャップに関する。
【背景技術】
【０００２】
作物用キャップの一形式として、実開平２−５７３６６号公報には、横断面形状が略円形の周壁面と、周壁面の上端部から連続し、湾曲して外側に膨出する天井面とを透光性プラスチック材料で一体成形し、天井面の略中央に多数の小径通気穴を形成し、周壁面の下端部にフランジ部を一体成形し、フランジ部に串穴を形成したドーム型の作物用キャップが開示されている。
また、特開２００６−２９６３６６号には天井面の略中央に単一の通気穴を形成したドーム型の作物用キャップが開示されている。
【０００３】
この種の作物用キャップは苗に被せられ、串穴に通したキャップ固定串を地面に打ち込むことにより、苗床に固定して使用される。
キャップ固定串は２本の串片と両串片上端部を連結する押さえ片からなる二股形状を有し、一方の串片を串穴を通して苗床に打ち込み、押さえ片でフランジ部を苗床に押さえ着けて作物用キャップが苗床に固定される。
【先行技術文献】
【特許文献】
【０００４】
【特許文献１】実開平２−５７３６６号公報
【特許文献２】特開２００６−２９６３６６号公報
【発明の概要】
【発明が解決しようとする課題】
【０００５】
作物用キャップを被せた苗に水遣りする際、ドーム型の天井面に多数の小径通気穴を形成した作物用キャップの場合、キャップ固定串を抜いて一々、作物用キャップを地面から取り外さなければならず、水遣り作業が煩わしい。一方、天井面に比較的径の大きな通気穴を形成した作物用キャップの場合、作物用キャップを地面から取り外さずに、ホースを通気穴に通して水遣りできる。しかしながら、多数の苗に水遣りする場合、多数の作物用キャップの通気穴に一々ホースを通さなければならず、やはり水遣り作業が煩わしい。
本発明はかかる問題点に鑑み、水遣り作業が容易な作物用キャップを提供することを目的とする。
【課題を解決するための手段】
【０００６】
請求項１に記載の発明は、横断面形状が略円形の周壁面と、周壁面の上端部から連続する天井面とを透光性プラスチック材料でドーム型に一体成形し、天井面に通気穴を形成した作物用キャップであって、
天井面の頂部近辺に通気穴を形成し、
周壁面と天井面が屈曲部を介して連続するように形成し、
屈曲部の屈曲変形により天井面全体が外側へ湾曲して膨出する凸形態と、内側へ湾曲して窪む凹形態の何れか一方の形態に択一的に保持され、
かつ凸形態の天井面の中央部を内側へ押し込むと天井面が凹形態となり、凹形態の天井面の中央部を外側へ押し込むと天井面が凸形態となるように構成したことを特徴とする。
【発明の効果】
【０００７】
請求項１に係る発明によれば、ドーム型の作物用キャップの天井面を内側へ湾曲して窪む凹形態にすると、天井面が水の受け皿となり、かつ天井面の頂部近辺に形成した通気穴が導水穴となる。そのため、ホースを通気穴に通さなくても天井面にホースから水を注げば通気穴を通って作物用キャップの内部に流入し、苗に水が注がれる。また、天井面に降った雨水も通気穴から効率的に作物用キャップの内部に流入するので、水遣り作業が容易になる。
また、凹形態の天井面に小石等の重石を載せれば、強風時に作物用キャップが吹き飛ばされるのを防止できる。
一方、天井面を凸形態にすれば、地面から天井面までの高さが増大するので、苗の生育に伴い新芽が天井に接触して生育不良となるのを可及的に遅くできる。また、枯れ草等のゴミが天井面に滞留して透光性が低下するのを防止できる。
【図面の簡単な説明】
【０００８】
【図１】本発明の第１実施例に係る作物用キャップを示す断面図である。
【図２】同作物用キャップの使用状態を示す説明図である。
【図３】同作物用キャップの他の使用状態を示す説明図である。
【図４】本発明の実施例に係るキャップ固定串を示す斜視図である。
【図５】本発明の第２実施例に係る作物用キャップの使用状態を示す説明図である。
【実施例１】
【０００９】
以下に本発明を図面に基づき説明するに、図１〜図３には本発明の第１実施例に係る作物用キャップ１０が示されている。当該作物用キャップ１０は横断面形状が略円形の周壁面１１と、周壁面１１の上端部から連続し、湾曲して外側に膨出する天井面１２と、周壁面１１の下端部に形成したフランジ部１３から成り、周壁面１１、天井面１２、フランジ部１３はポリ塩化ビニル、ポリプロピレン等の透光性プラスチック材料でドーム型に一体成形されている。
【００１０】
周壁面は複数本の環状の段差面１１ａが形成されている。各段差面１１ａは上下方向に積層され、周壁面１１の下端部側の段差面１１ａから上端部側の段差面１１ａへと各段差面１１ａの径が漸減しているので、周壁面１１は全体として、上部側ほど径が縮小した円筒形状を備えている。
【００１１】
天井面１２は周壁面１１の上端部から連続し、外側へ緩やかに湾曲して膨出した凸形態を備えている。そして、周壁面１１と天井面１２との境界部分が屈曲部１４として形成され、周壁面１１と天井面１２が直角より若干大きな角度、本実施例では凸形態のとき約１００度の角度を形成している。天井面１２の頂部には１個の通気穴１２ａが形成され、通気穴１２ａの周囲に断面半円形の環状リブ１２ｂが形成されている。
【００１２】
フランジ部１３は周壁面１１の下端開口面１１ｂの外周に沿って形成されている。フランジ部１３には２本の環状リブ１３ａ，１３ｂが形成され、環状リブ１３ａ，１３ｂの間に通気穴１２ｂを中心として等角度間隔で串穴１３ｃが形成されている。
【００１３】
本実施例に係る作物用キャップ１０の構造は以上の通りであって、図２に示すように苗２０にこの作物用キャップ１０を被せ、フランジ部１３の串穴１３ｃにキャップ固定串２１を通して苗床２２の土に差し込み、作物用キャップ１０を苗床２２に固定する。
【００１４】
図４にキャップ固定串２１の詳細を図示する。キャップ固定串２１の材料には針金が使用され、針金を曲げ加工して、２本の串片２１ａと両串片２１ａの上端部を連結する押さえ片２１ｂからなる二股形状に成形されている。そして、両方の串片２１ａの下端部近辺にプレス成型により長方形の凸部２１ｃが形成されている。作物用キャップ１０は、一方の串片２１ａを串穴１３ｃを通して苗床２２に打ち込み、押さえ片２１ｂでフランジ部１３を苗床２２に押さえ着けて苗床２２に固定される。
【００１５】
水遣りを行う場合、作物用キャップ１０の天井面１２の中央部を指で内側へ押し込む。図１に想像線で示すように、屈曲部と天井面１２と周壁面１１が成す角度が約９０度を越えるまで屈曲部１４が屈曲すると、凸形態を保持していた天井部は図３に示すように、内側へ緩やかに湾曲して窪む凹形態となり、凹形態が保持される。このとき屈曲部１４は全周にわたって一平面Ｐに接する。そこで、ホースから凹形態となった天井面１２に水を注ぐと、水が通気穴１２ａを通って作物用キャップ１０の内部に流入し、苗２０の根元に浸透する。
【００１６】
本実施例に係る作物用キャップ１０によれば、ドーム型の天井面１２を内側へ湾曲して窪む凹形態にすると、天井面１２が水の受け皿となり、かつ天井面１２の頂部に形成した通気穴１２ａが導水穴となる。そのため、ホースを通気穴１２ａに通さなくても天井面１２にホースから水を注げば通気穴１２ａを通って作物用キャップ１０の内部に水が流入し、苗２０に注がれる。また、天井面１２に降った雨水も通気穴１２ａから効率的に作物用キャップ１０の内部に流入するので、水遣り作業が容易になる。
【００１７】
また、凹形態の天井面１２に小石等の重石を載せれば、強風時に作物用キャップ１０が吹き飛ばされるのを防止することもできる。
【００１８】
一方、通気穴１２ａに指を入れて凹形態の天井面の中央部を外側へ引き上げると（外側へ押し込むと）天井面が図２に示す凸形態となってこの凸形態が保持される。天井面１２を図２に示す凸形態にすれば、地面から天井面１２までの高さが増大するので、苗２０の生育に伴い新芽が天井面１２に接触して生育不良となるのを可及的に遅くできる。また、枯れ草等のゴミが天井面の表面に滞留して透光性が低下するのを防止できる。
【００１９】
また、本実施例に係るキャップ固定串２１によれば、作物用キャップ１０に風圧が作用しても、苗床２２に打ち込んだ串片２１ａの凸部２１ｃが、水遣りや降雨の後に乾燥して固まった苗床２２の土に引っ掛かるため、苗床２２から抜け難い。そのため、作物用キャップ１０を風に吹き飛ばされないように苗床２２に固定できる。
【００２０】
さらにまた、本実施例に係るキャップ固定串２１は、材質に針金を使用するので、プレス成型で簡単に凸部２１ｃを加工でき、加工コストを低減できる。
なお、本実施例に係るキャップ固定串２１では、長方形の凸部２１ｃを串変２１ａに各１個形成したが、複数個形成すれば、よりキャップ固定串が抜け難くなる。また、材質として、針金の曲げ加工の他、鉄板から打ち抜き加工したり、硬質プラスチックで成型することも可能である。
【実施例２】
【００２１】
本発明の第２実施例に係る作物用キャップを図４に示す。第１実施例に係る作物用キャップ１０では天井面１２の頂部に１個の通気穴１２ａを形成したが、第２実施例に係る作物用キャップ１０Ａでは頂部近辺に多数の小径通気穴１２ｃが形成されている。
なお、第２実施例に係る作物用キャップ１０Ａの他の構成は第１実施例に係る作物用キャップ１０と同じであるので、同一の構成要素には同一の符号を付して説明を省略する。
【００２２】
この作物用キャップ１０Ａを使用した場合も、図４に示すように天井面１２を凸形態にすることにより水遣りを容易にできる。
【符号の説明】
【００２３】
１０，１０Ａ…作物用キャップ
１１…周壁面
１２…天井面
１２ａ，１２ｃ…通気穴
１３…フランジ部
１４…屈曲部
２１…キャップ固定串
２１ａ…串片
２１ｂ…押さえ片
２１ｃ…凸部 
【図１】
0005374525.tif 000002
【図２】
0005374525.tif 000003
【図３】
0005374525.tif 000004
【図４】
0005374525.tif 000005
【図５】
0005374525.tif 000006